(57)【要約】【課題】記録装置の前面において排出スタッカを回動式に開放する機構を備える記録装置において、ボタン操作等により排出スタッカを自動的に開放できるようにする自動開放可能な排出スタッカを提供すること。【解決手段】被記録媒体を給送する給送部５と、被記録媒体に記録を行う記録ヘッド２１と、記録された被記録媒体を排出する排出部７とを備える記録装置において、排出部７が記録後の被記録媒体を支持する排出スタッカ９を備え、排出スタッカが記録装置の前面に形成されたスタッカ収納部１０を閉鎖する第１位置と、被記録媒体を支持可能な第２位置との間で回動可能であり、記録装置の使用開始時に作業者が操作するスイッチ等の操作により、排出スタッカ９が記録装置内の可動部材２３の移動に連動して第１位置から第２位置へ回動可能である。【選択図】        図３
2004256232.tif 000002
【特許請求の範囲】
【請求項１】
被記録媒体を給送する給送部と、前記被記録媒体に記録を行う記録ヘッドと、記録された被記録媒体を排出する排出部とを備える記録装置であって、
前記排出部が前記記録後の被記録媒体を支持する排出スタッカを備え、該排出スタッカが記録装置の前面に形成されたスタッカ収納部を閉鎖する第１位置と、被記録媒体を支持可能な第２位置との間で回動可能であり、前記記録装置の使用開始時に作業者が操作するスイッチ等の操作により、前記排出スタッカが前記記録装置内の可動部材の移動に連動して前記第１位置から第２位置へ回動可能であることを特徴とする記録装置。
【請求項２】
請求項１において、前記排出スタッカは、前記第２位置側へ常時付勢する付勢手段を備え、前記排出スタッカには、先端部及び先端部より内側に形成される係止部を備え、回動軸の周囲で回動可能なロック爪が設けられ、前記記録装置の基枠には前記係止部が係止可能な被係止部が形成されており、前記可動部材の移動に連動して前記係止部の先端部が移動させられることにより、前記係止部の被係止部への係止が解除されて、前記付勢手段の付勢力により前記排出スタッカが第２位置へ回動することを特徴とする記録装置。
【請求項３】
請求項２において、前記可動部材は、前記記録ヘッドを支持しながら主走査方向へ走査可能なキャリッジであり、該キャリッジにはなだらかな山型又は谷型に形成された係合解除カムが設けられ、前記キャリッジの走査により前記係合解除カムが通過する箇所に前記ロック爪の先端部が位置し、該先端部が前記係合解除カムにより他の位置へ案内されて、係止部の被係止部への係止が外れるようになっていることを特徴とする記録装置。
【請求項４】
請求項２において、前記排出部には排出駆動ローラ及びこれに従動する排出従動ローラを備え、前記可動部材は、前記排出駆動ローラの回転軸に駆動力を伝達するための駆動伝達ギアに歯合するロック解除ギアであり、該ロック解除ギアからは、前記ロック爪の先端部に下側又は上側から係止可能なロック解除片が外方へ延びており、前記ロック解除ギアの回転による前記ロック解除片の上方又は下方への移動により、前記先端部が上方又は下方へ移動して係止部の被係止部への係止が外れるようになっていることを特徴とする記録装置。
【請求項５】
請求項２において、前記記録装置内には前記可動部材として駆動モータを備え、該駆動モータの駆動力により回転するピニオンギアにロック解除ギアが歯合しており、該ロック解除ギアからは、前記ロック爪の先端部に下側又は上側から係止可能なロック解除片が外方へ延びており、前記ロック解除ギアの回転による前記ロック解除片の上方又は下方への移動により、前記先端部が上方又は下方へ移動して係止部の被係止部への係止が外れるようになっていることを特徴とする記録装置。
【請求項６】
請求項２において、前記給送部には給送ローラを備え、前記可動部材は、前記給送ローラの回転軸に設けたプーリであり、前記プーリと離れた位置にロック解除ギアが設けられ、前記プーリからロック解除ギアへは駆動伝達ベルトを介して駆動伝達可能であり、前記ロック解除ギアからは、前記ロック爪の先端部に下側又は上側から係止可能なロック解除片が外方へ延びており、前記ロック解除ギアの回転による前記ロック解除片の上方又は下方への移動により、前記先端部が上方又は下方へ移動して係止部の被係止部への係止が外れるようになっていることを特徴とする記録装置。
【請求項７】
請求項１において、前記排出スタッカには、排出スタッカの回動軸と一体的に回動するほぼ半円形の被作動ギアが設けられ、前記記録装置内には、可動部材である駆動モータと、該駆動モータの駆動軸に設けられたピニオンギアと前記被作動ギアとの間に設けられるギア列とを備え、前記駆動モータの回転駆動により前記被作動ギアが回転することで前記排出スタッカが開閉可能であることを特徴とする記録装置。
【請求項８】
請求項１において、前記排出スタッカは、前記第２位置側へ常時付勢する付勢手段を備え、前記記録装置の前面側には、回動軸の周囲で回動可能なロック爪が設けられ、該ロック爪は前記回動軸よりも排出スタッカ側に位置する係止部と、前記回動軸を挟んで前記係止部の反対側に形成される押圧作用部とを備え、
前記排出スタッカには、前記係止部が係止することで排出スタッカの前記第２位置への回動を規制する被係止部が形成されており、
前記記録装置は前記記録ヘッドを支持しながら主走査方向へ走査可能なキャリッジ、該キャリッジがホームポジションにある状態でキャリッジが移動しないようにキャリッジの側面を保持可能な可動部材としてのロックレバーを備え、前記ロックレバーは、回動軸の周囲でキャリッジの側面を保持する第１位置と、キャリッジの側面の保持が解除される第２位置との間で回動可能であり、前記ロックレバーが第２位置へ回動したとき、前記ロックレバーの先端が前記押圧作用部を押し、前記係止部が移動して係止部の被係止部への係止が外れるようになっていることを特徴とする記録装置。
【請求項９】
請求項８において、前記排出スタッカは、内側に補助スタッカ収納部が形成されるメインスタッカと、補助スタッカ収納部に入れ子式に収納される１または２以上の補助スタッカとを備え、前記補助スタッカは前記補助スタッカ収納部から突出状態となるように常時付勢されており、前記メインスタッカ及び補助スタッカには整合する位置に開口部が形成され、前記係止部が前記開口部の下辺に係止可能であることを特徴とする記録装置。
【請求項１０】
請求項１〜９のいずれか１項に記載されている自動開放可能な排出スタッカ。
【請求項１１】
被噴射媒体を給送する給送部と、前記被噴射媒体に噴射を行う液体噴射ヘッドと、噴射された被噴射媒体を排出する排出部とを備える液体噴射装置であって、
前記排出部が前記噴射後の被噴射媒体を支持する排出スタッカを備え、該排出スタッカが液体噴射装置の前面に形成されたスタッカ収納部を閉鎖する第１位置と、被噴射媒体を支持可能な第２位置との間で回動可能であり、前記液体噴射装置の使用開始時に作業者が操作するスイッチ等の操作により、前記排出スタッカが前記液体噴射装置内の可動部材の移動に連動して前記第１位置から第２位置へ回動可能であることを特徴とすることを特徴とする液体噴射装置。
【発明の詳細な説明】
【０００１】
【発明の属する技術分野】
本発明は、排出スタッカを備える記録装置に関する。更に本発明は、インク等の液体をそのヘッドから吐出して被噴射媒体に噴射を実行するインクジェット式記録装置などの排出スタッカを備える液体噴射装置に関するものである。
【０００２】
ここで液体噴射装置とは、インクジェット式記録ヘッドが用いられ、該記録ヘッドからインクを吐出して被記録媒体に記録を行うプリンタ、複写機およびファクシミリ等の記録装置に限らず、インクに代えてその用途に対応する液体を前記記録ヘッドに相当する液体噴射ヘッドから被記録媒体に相当する被噴射媒体に噴射して、前記液体を前記被噴射媒体に付着させる装置を含む意味で用いる。
【０００３】
液体噴射ヘッドとして、前記記録ヘッドの他に、液晶ディスプレー等のカラーフィルター製造に用いられる色材噴射ヘッド、有機ＥＬディスプレーや面発光ディスプレー（ＦＥＤ）等の電極形成に用いられる電極材（導電ペースト）噴射ヘッド、バイオチップ製造に用いられる生体有機物噴射ヘッド、精密ピペットとしての試料噴射ヘッド等が挙げられる。
【０００４】
【従来の技術】
インクジェット式記録装置では、給送部から給送された被記録媒体を記録部にて記録し、その後排出部に排出する構造を有する。排出部には通常排出スタッカが設けられ、記録後の被記録媒体は排出スタッカ上に排出されて積み重ねられていく。
【０００５】
排出スタッカは記録装置の前部に突出して設けられるため、記録装置を使用しないときには、省スペースのために排出スタッカを記録装置の前面に重ね合わせるように収納しておくタイプの記録装置が既に開発されている。この種の記録装置を使用する場合には、排出スタッカを手で記録装置の前面から下方へ回動させてほぼ水平にした状態で被記録媒体への記録を行う（例えば、特許文献１）。
【０００６】
【特許文献１】
特開平２００２−２４１０２６号公報
【０００７】
【発明が解決しようとする課題】
しかし排出スタッカは本来的には、記録装置の前部で被記録媒体を受入可能な状態にあることが好ましく、ユーザーの中には排出スタッカを手で操作して被記録媒体の受け入れ可能な状態にすることを煩わしく感じる人もある。
【０００８】
そこで本発明の課題は、記録装置の前面において排出スタッカを回動式に開放する機構を備える記録装置において、ボタン操作等により排出スタッカを自動的に開放できるようにする自動開放可能な排出スタッカを提供することにある。
【０００９】
【課題を解決するための手段】
上記課題を達成するため、本発明の第１の態様に係る記録装置は、被記録媒体を給送する給送部と、前記被記録媒体に記録を行う記録ヘッドと、記録された被記録媒体を排出する排出部とを備える記録装置において、前記排出部が前記記録後の被記録媒体を支持する排出スタッカを備え、該排出スタッカが記録装置の前面に形成されたスタッカ収納部を閉鎖する第１位置と、被記録媒体を支持可能な第２位置との間で回動可能であり、前記記録装置の使用開始時に作業者が操作するスイッチ等の操作により、前記排出スタッカが前記記録装置内の可動部材の移動に連動して前記第１位置から第２位置へ回動可能であることを特徴とするものである。
【００１０】
本発明の第１の態様によれば、記録装置内の可動部材が動くことで、これに連動して排出スタッカが自動的に開放し、被記録媒体の受入可能な状態となる。記録装置の可動部材を動かすためには、スタートスイッチ等の押圧動作が挙げられる。作業者がスタートスイッチを押すことで、記録装置内部の装置が記録のためのスタンバイ状態となると共に、排出スタッカが開放して記録及び記録物の排出が可能となる。
【００１１】
また、本発明の第２の態様に係る記録装置は、上記第１の態様において、前記排出スタッカは、前記第２位置側へ常時付勢する付勢手段を備え、前記排出スタッカには、先端部及び先端部より内側に形成される係止部を備え、回動軸の周囲で回動可能なロック爪が設けられ、前記記録装置の基枠には前記係止部が係止可能な被係止部が形成されており、前記可動部材の移動に連動して前記係止部の先端部が上方又は下方などに移動させられることにより、前記係止部の被係止部への係止が解除されて、前記付勢手段の付勢力により前記排出スタッカが第２位置へ回動することを特徴とするものである。
【００１２】
本態様によれば、可動部材が移動すると、係止部の先端部が上方又は下方などに移動させられ、これに伴い係止部の被係止部への係止が解除される。この結果、排出スタッカは付勢手段の付勢力により開放するようになる。
【００１３】
また、本発明の第３の態様に係る記録装置は、上記第２の態様において、前記可動部材は、前記記録ヘッドを支持しながら主走査方向へ走査可能なキャリッジであり、該キャリッジにはなだらかな山型又は谷型に形成された係合解除カムが設けられ、前記キャリッジの走査により前記係合解除カムが通過する箇所に前記ロック爪の先端部が位置し、該先端部が前記係合解除カムにより上方又は下方などの他の位置へ案内されて、係止部の被係止部への係止が外れるようになっていることを特徴とするものである。
【００１４】
本態様によれば、作業者がスタートスイッチ等を操作することでキャリッジが記録スタンバイ状態のために走査する。このとき、係合解除カムがロック爪の先端部をなだらかな山型又は谷型に沿って上方又は下方などの他の位置へ案内するため、係止部も上昇又は下降等して被係止部への係止が外れる。この結果、排出スタッカは付勢手段の付勢力により開放するようになる。
【００１５】
また、本発明の第４の態様に係る記録装置は、上記第２の態様において、前記排出部には排出駆動ローラ及びこれに従動する排出従動ローラを備え、前記可動部材は、前記排出駆動ローラの回転軸に駆動力を伝達するための駆動伝達ギアに歯合するロック解除ギアであり、該ロック解除ギアからは、前記ロック爪の先端部に下側又は上側から係止可能なロック解除片が外方へ延びており、前記ロック解除ギアの回転による前記ロック解除片の上方又は下方への移動により、前記先端部が上方又は下方へ移動して係止部の被係止部への係止が外れるようになっていることを特徴とするものである。
【００１６】
本態様によれば、作業者がスタートスイッチ等を操作することで排出駆動ローラが駆動を開始し、この回転駆動力によりロック解除ギアが回転し、ロック解除片がロック爪の先端部に係止して先端部を上方又は下方へ移動させる。これにより係止部が上昇又は下降して被係止部への係止が外れ、排出スタッカは付勢手段の付勢力により開放するようになる。
【００１７】
また、本発明の第５の態様に係る記録装置は、上記第２の態様において、前記記録装置内には前記可動部材として駆動モータを備え、該駆動モータの駆動力により回転するピニオンギアにロック解除ギアが歯合しており、該ロック解除ギアからは、前記ロック爪の先端部に下側又は上側から係止可能なロック解除片が外方へ延びており、前記ロック解除ギアの回転による前記ロック解除片の上方又は下方への移動により、前記先端部が上方又は下方へ移動して係止部の被係止部への係止が外れるようになっていることを特徴とするものである。
【００１８】
本態様によれば、作業者がスタートスイッチ等を操作することで駆動モータが回転し始め、ロック解除ギアが回転する。これによりロック解除片がロック爪の先端部に係止して先端部を上方又は下方へ移動させ、係止部が上昇又は下降して被係止部への係止が外れ、排出スタッカは付勢手段の付勢力により開放するようになる。
【００１９】
また、本発明の第６の態様に係る記録装置は、上記第２の態様において、前記給送部には給送ローラを備え、前記可動部材は、前記給送ローラの回転軸に設けたプーリであり、前記プーリと離れた位置にロック解除ギアが設けられ、前記プーリからロック解除ギアへは駆動伝達ベルトを介して駆動伝達可能であり、前記ロック解除ギアからは、前記ロック爪の先端部に下側又は上側から係止可能なロック解除片が外方へ延びており、前記ロック解除ギアの回転による前記ロック解除片の上方又は下方への移動により、前記先端部が上方又は下方へ移動して係止部の被係止部への係止が外れるようになっていることを特徴とするものである。
【００２０】
本態様によれば、作業者がスタートスイッチ等を操作することで給送ローラの回転軸に設けたプーリが回転し始め、駆動伝達ベルトを介してロック解除ギアが回転し始める。これによりロック解除片がロック爪の先端部に係止して先端部を上方又は下方へ移動させ、係止部が上昇又は下降して被係止部への係止が外れ、排出スタッカは付勢手段の付勢力により開放するようになる。
【００２１】
また、本発明の第７の態様に係る記録装置は、上記第１の態様において、前記排出スタッカには、排出スタッカの回動軸と一体的に回動するほぼ半円形の被作動ギアが設けられ、前記記録装置内には、可動部材である駆動モータと、該駆動モータの駆動軸に設けられたピニオンギアと前記被作動ギアとの間に設けられるギア列とを備え、前記駆動モータの回転駆動により前記被作動ギアが回転することで前記排出スタッカが開閉可能であることを特徴とするものである。
【００２２】
本態様によれば、作業者がスタートスイッチ等を操作することで駆動モータが回転し始める。この回転駆動力はピニオンギア、ギア列を介して被作動ギアに伝達される。被作動ギアが回転することで、これと一体の排出スタッカも開放する方向に回動する。また、作業終了後には作業者が終了スイッチ等を操作することで、駆動モータが逆回転し、排出スタッカが自動的に閉鎖するようになる。
【００２３】
また、本発明の第８の態様に係る記録装置は、上記第１の態様において、前記排出スタッカは、前記第２位置側へ常時付勢する付勢手段を備え、前記記録装置の前面側には、回動軸の周囲で回動可能なロック爪が設けられ、該ロック爪は前記回動軸よりも排出スタッカ側に位置する係止部と、前記回動軸を挟んで前記係止部の反対側に形成される押圧作用部とを備え、前記排出スタッカには、前記係止部が係止することで排出スタッカの前記第２位置への回動を規制する被係止部が形成されており、前記記録装置は前記記録ヘッドを支持しながら主走査方向へ走査可能なキャリッジ、該キャリッジがホームポジションにある状態でキャリッジが移動しないようにキャリッジの側面を保持可能な可動部材としてのロックレバーを備え、前記ロックレバーは、回動軸の周囲でキャリッジの側面を保持する第１位置と、キャリッジの側面の保持が解除される第２位置との間で回動可能であり、前記ロックレバーが第２位置へ回動したとき、前記ロックレバーの先端が前記押圧作用部を押し、前記係止部が移動して係止部の被係止部への係止が外れるようになっていることを特徴とするものである。
【００２４】
本態様によれば、作業者がスタートスイッチ等を操作することでロックレバーが第２位置側へ回動する。第２位置へ回動したロックレバーの先端は、ロック爪の押圧作用部を下方等へ押す結果、係止部が上方等へ移動して係止部の被係止部への係止が外れ、排出スタッカは付勢手段の付勢力により開放するようになる。
【００２５】
また、本発明の第９の態様に係る記録装置は、上記第８の態様において、前記排出スタッカは、内側に補助スタッカ収納部が形成されるメインスタッカと、補助スタッカ収納部に入れ子式に収納される１または２以上の補助スタッカとを備え、前記補助スタッカは前記補助スタッカ収納部から突出状態となるように常時付勢されており、前記メインスタッカ及び補助スタッカには整合する位置に開口部が形成され、前記係止部が前記開口部の下辺に係止可能であることを特徴とするものである。
【００２６】
本態様によれば、排出スタッカが閉鎖しているときには補助スタッカの突出が制限されているが、排出スタッカが開き始めると、補助スタッカの突出の制限が解除されて自動的に補助スタッカが排出スタッカ内から伸長し、長尺の被記録媒体を支持可能となる。
【００２７】
また、本発明の第１０の態様に係る自動開放可能な排出スタッカは、上記第１〜第９のいずれかの態様の記録装置に用いられている自動開放可能な排出スタッカである。本態様によれば、作業者がスタートスイッチ等を操作するだけで自動的に排出スタッカが開放し、記録可能な状態となる。
【００２８】
また、本発明の第１１の態様に係る液体噴射装置は、被噴射媒体を給送する給送部と、前記被噴射媒体に噴射を行う噴射ヘッドと、噴射された被噴射媒体を排出する排出部とを備える液体噴射装置であって、前記排出部が前記噴射後の被噴射媒体を支持する排出スタッカを備え、該排出スタッカが液体噴射装置の前面に形成されたスタッカ収納部を閉鎖する第１位置と、被噴射媒体を支持可能な第２位置との間で回動可能であり、前記液体噴射装置の使用開始時に作業者が操作するスイッチ等の操作により、前記排出スタッカが前記液体噴射装置内の可動部材の移動に連動して前記第１位置から第２位置へ回動可能であることを特徴とすることを特徴とするものである。
【００２９】
【発明の実施の形態】
以下、本願発明の実施の形態を図面に基づいて説明する。図１は本発明に係る自動開放可能な排出スタッカを備える記録装置または液体噴射装置の一例であるインクジェットプリンタ１を示す斜視図であり、図２は同インクジェットプリンタ１の排出スタッカを開放した状態を示す斜視図であり、図３はキャリッジ動作でロック爪の係止を解除して排出スタッカを自動開放する実施形態を示すインクジェットプリンタの側断面図であり、図４及び図５は図３の実施形態における排出スタッカが自動開放する様子を示すインクジェットプリンタの側断面図である。
【００３０】
インクジェットプリンタ１は、プリンタ本体３と、該プリンタ本体３の後方側に設けられる給送部５と、プリンタ本体３の前方に形成される排出部７とを備えて成る。給送部５には給送トレイ１１が形成されており、給送トレイ１１には複数枚の用紙（被記録媒体及び被噴射媒体に相当する）が積載できるようになっている。また排出部７には排出スタッカ９が設けられている。排出スタッカ９は、後述するようにプリンタの使用時には自動的に手前側に回動してスタッカ収納部１０が開放状態となり、プリンタの不使用時には図１に示す如くスタッカ収納部１０を閉鎖する状態となるように回動可能である。即ち排出スタッカ９は、スタッカ収納部１０を閉鎖する第１位置とスタッカ収納部１０を閉鎖する第２位置との間で回動可能である。
【００３１】
図３に示す如く、給送トレイ１１の直ぐ下流側には給送ローラ１３が設けられており、給送ローラ１３は、対向する分離パッド１４との間で給送トレイ１１の最上部に位置する用紙を挟圧して、前方へ送り出す作用をする。
【００３２】
送り出された用紙は、下側の紙送り駆動ローラ１５及び上側の紙送り従動ローラ１７から構成される紙送りローラ１９に至り、駆動系により記録工程における精密な紙送り動作を受けながら、紙送りローラ１９の下流側に位置する液体噴射ヘッドに相当する記録ヘッド２１へ給送されるようになっている。
【００３３】
記録ヘッド２１はスライド軸２２に沿ってスライド可能なキャリッジ２３に支持されており、キャリッジ２３は給送方向と直交する方向（以下、主走査方向という）へ往復運動できるようになっている。記録ヘッド２１と対向する位置にはプラテン２５が設けられており、該プラテン２５は、記録ヘッド２１によって用紙に記録を行う際に、用紙を下側から支持する作用を担う。
【００３４】
記録ヘッド２１とプラテン２５との距離、即ちペーパーギャップは、記録ヘッド２１を支持するキャリッジ２３を上下動させることにより、用紙の厚さに応じて適宜調節できるようになっている。ペーパーギャップが適正に調整されている状態では、用紙はプラテン２５上を滑らかに通過しながら、高品質の記録が行なわれるようになっており、記録ヘッド２１で記録された用紙は、排出部７に設けられる排出ローラ２７によって順次排出される。排出ローラ２７は、下側の排出駆動ローラ２９及び上側の排出ギザローラ３１から構成されており、用紙が排出駆動ローラ２９の回転駆動により引き出されて排出される機構となっている。
【００３５】
インクジェットプリンタ１は概略以上のような構成を備えており、以下排出スタッカ９を自動的に開放する構造（排出スタッカの自動開放機構）について説明する。図３に示す如く、排出スタッカ９の回動軸３３の周囲には付勢手段である捻りコイルバネ３５が設けられており、その一端が排出スタッカ９に係止することで、排出スタッカ９は常時開放する方向、即ち矢印３７で示す方向に回動するように付勢されている。また捻りコイルバネ３５の作用により排出スタッカ９が急激に開放しないようにロータリーダンパ３６が設けられている。
【００３６】
排出スタッカ９の先端に近い箇所には、ロック爪３９が回動軸３８の周囲で一定範囲で回動可能に設けられており、ロック爪３９の先端部４０より若干内側には係止部４１が形成されている。係止部４１は斜めに形成された係止斜面４３を有する。この係止斜面４３は、後述する被係止部に係止した状態で排出スタッカ９に矢印３７の方向への一定以上のモーメントが掛かったとき、ロック爪３９が上方へ回動する程度の傾斜に構成されている。このような構成を採用する理由は、排出スタッカの自動開放機構が故障により使用できなくなった場合に、手動で排出スタッカ９を手前側に引いて開放できるようにするためである。
【００３７】
プリンタ本体３のスタッカ収納部１０の内側に位置する基枠４５には、開口が形成され、その下辺に被係止部４７が形成されている。被係止部４７はロック爪３９の係止部４１が係止する部分であり、被係止部４７の形成される開口は、ロック爪３９の係止部４１が被係止部４７に係止した状態から、係止部４１が上方へ回動したときに、ロック爪３９が抜け出ることができるような大きさに形成されている。
【００３８】
一方、キャリッジ２３の前面側には係合解除カム４９が形成されており、係合解除カム４９は、図３中に拡大して斜視図で示すように、なだらかな上向きの山型に形成されている。また、キャリッジ２３の主走査方向への走査により係合解除カム４９が通過する箇所には、ロック爪３９の先端部４０が位置するようになっており、キャリッジ２３の走査により係合解除カム４９が移動するとき、ロック爪３９の先端部４０が山型の係合解除カム４９により上方へ案内されて、係止部４１の被係止部４７への係止が外れるようになっている。
【００３９】
このような形態の排出スタッカの自動開放機構では、図３に示す如く、排出スタッカ９がスタッカ収納部１０を閉鎖した状態で、図１中符号５１で示す開始ボタンを押すと、キャリッジ２３がスタンバイ状態をとるために一往復の走査をするようになる。これにより係合解除カム４９がロック爪３９の先端部４０を上方へ持ち上げて、図４に示す如く、ロック爪３９の係止部４１の被係止部４７への係止が外れる。この結果、排出スタッカ９は自由状態となるため、捻りコイルバネ３５及びロータリーダンパ３６の作用により排出スタッカ９がゆっくりと矢印３７で示す方向へ回動し、図５に示す開放状態となる。
【００４０】
尚、ロック爪３９の回動範囲は制限されているので、排出スタッカ９が開放状態にあるときにも図５に示す如く上方に向いている。従って、排出スタッカ９の収納時に排出スタッカ９を矢印３７と逆方向へ回動させれば、ロック爪３９の係止部４１は被係止部４７を乗り越え、ロック爪３９自体の重力により係止部４１が被係止部４７に自動的に係止するようになる。或いは、開始ボタン５１ＯＮのままでユーザーが排出スタッカ９を閉じた場合、上記の如く閉状態となってしまうが、次の印刷動作でキャリッジ２３が移動することで、ロック爪３９の係止部４１の被係止部４７への係止が外れるので、排出スタッカ９は開状態に変わる。これは後述する。
【００４１】
次に図６〜図１３を参照しながら、本発明の他の実施の形態について説明する。尚、以下説明する他の実施の形態において、図１〜図５に関して説明した部材の符号と同じ符号を図中で付している部材に関しては、上記で説明した部材と同様であるので説明を省略する。
図６は、排出駆動ローラ２９に回転駆動力を伝達するギアを利用して排出スタッカを自動的に開放する実施形態を示すインクジェットプリンタの側断面図である。
【００４２】
本実施の形態では、図６に示す如く、排出駆動ローラ２９の回転軸に駆動力を伝達するために駆動伝達ギア５３を設け、この駆動伝達ギア５３にロック解除ギア５５を歯合させている。該駆動伝達ギア５３には図示しない歯車列を解して紙送りローラ１９の駆動モータ（図示せず）から動力伝達されるように構成されている。ロック解除ギア５５には、ロック解除片５７が外方へ延びるように形成されており、ロック解除片５７はロック解除ギア５５が回転することによりロック爪３９の先端部４０に下側から係止可能である。
【００４３】
このような構成を採用した排出スタッカの自動開放機構では、図６に示す如く排出スタッカ９がスタッカ収納部１０を閉鎖した状態で、紙送りローラ１９による紙送り動作が始まると、それに伴って駆動伝達ギア５３が回転するため、当該ロック解除ギア５５も回転する。これにより、ロック解除ギア５５が回転するのに伴い、ロック解除片５７が図６の反時計回り方向に回転し、ロック解除片５７がロック爪３９の先端部４０を持ち上げる。この結果、ロック爪３９の係止部４１の被係止部４７への係止が外れて、捻りコイルバネ３５及びロータリーダンパ３６の作用により排出スタッカ９がゆっくりと矢印３７で示す方向へ回動し、開放状態となる。
【００４４】
なお、ロック解除ギア５５を回転させるための動力は、紙送りローラ１９の駆動モータ（図示せず）ではなく、給紙ローラ１３用の駆動モータを利用することも可能である。更には、図１中の符号５１で示す開始ボタンを押すと、駆動伝達ギア５３が一定時間作動するようにしておき、これにより、ロック爪３９の係止部４１の被係止部４７への係止が外れようにしてもよい。
【００４５】
次に図７は、ロック解除ギア５５専用の駆動モータからの回転駆動力を利用して排出スタッカを自動的に開放する実施形態を示すインクジェットプリンタの側断面図である。本例の構造は、図６に関して説明したロック解除ギアと同様なロック解除ギア５５の近傍に駆動モータ５９を設け、該駆動モータ５９の出力軸に取り付けたピニオンギア６１をロック解除ギア５５に歯合させたものである。本例でもロック解除ギア５５が回転することにより、ロック解除片５７がロック爪３９の先端部４０に下側から係止可能である。
【００４６】
このような構成を採用した排出スタッカの自動開放機構では、例えば図１中符号５１で示す開始ボタンを押すと、駆動モータ５９が一定時間回転し、ロック解除ギア５５が回転するのに伴い、ロック解除片５７がロック爪３９の先端部４０を持ち上げる。この結果、ロック爪３９の係止部４１の被係止部４７への係止が外れて、捻りコイルバネ３５及びロータリーダンパ３６の作用により排出スタッカ９がゆっくりと矢印３７で示す方向へ回動し、開放状態となる。
【００４７】
次に図８は、給送ローラ１３の駆動軸の回転駆動力を利用して排出スタッカを自動的に開放する実施形態を示すインクジェットプリンタの側断面図である。本例の構造は、給送ローラ１３の駆動軸にプーリ６３を設け、このプーリ６３と、図６に関して説明したロック解除ギアと同様なロック解除ギア５５との間に駆動伝達ベルト６５を巻回したものである。
【００４８】
このような構成を採用した排出スタッカの自動開放機構では、印刷信号が入力されて給送ローラ１３が回転して給紙が始まると、該給送ローラ１３の駆動系が回転駆動するのに伴いプーリ６３が図の矢印の方向に回転する。この回転駆動力は駆動伝達ベルト６５を介してロック解除ギア５５に伝達されるため、ロック解除片５７がロック爪３９の先端部４０を持ち上げる。この結果、ロック爪３９の係止部４１の被係止部４７への係止が外れて、捻りコイルバネ３５及びロータリーダンパ３６の作用により排出スタッカ９がゆっくりと矢印３７で示す方向へ回動し、開放状態となる。
【００４９】
次に図９は、ロック解除ギア専用の駆動モータからの回転駆動力を利用して排出スタッカを自動的に開閉する実施形態を示すインクジェットプリンタの側断面図である。本例の構造では、駆動モータ５９と、該駆動モータ５９の出力軸に設けたピニオンギア６１と、ピニオンギア６１に歯合する中間ギア６７と、中間ギア６７に歯合する開閉作動ギア６９とがプリンタ本体３側に設けられている。
【００５０】
一方排出スタッカ９の下端側には、開閉作動ギア６９と歯合するほぼ半円形の被作動ギア７１が設けられている。被作動ギア７１が回転軸７３の周囲で回転するとき排出スタッカ９も同じ回転軸７３を回動軸として回動することができる。尚本例では、図３に示す実施形態のように捻りコイルバネ３５及びロータリーダンパ３６は設けられておらず、排出スタッカ９は駆動モータ５９からの駆動力により開閉される。
【００５１】
このような構成を採用した排出スタッカの自動開放機構では、例えば図１中符号５１で示す開始ボタンを押すと、駆動モータ５９が回転駆動し、中間ギア６７及び開閉作動ギア６９を介して回転駆動力が被作動ギア７１に伝達される。これにより被作動ギア７１の回転と共に排出スタッカ９が矢印７５のＡの方向へ回動して開放する。排出スタッカ９が使用可能な開放状態となったところで図示しない度当てに当たり、それ以上の回動が規制されると共に、このとき駆動モータ５９に所定以上のトルクが掛かることで駆動モータ５９の自動停止機能が作用して排出スタッカ９への駆動伝達が停止する。
【００５２】
一方、本例では排出スタッカ９の閉鎖動作も自動で行うことができる。即ち、排出スタッカ９が開放している状態で終了ボタン（符号５１で示すボタンが兼用している）を押すと、駆動モータ５９が逆回転し、これに伴い被作動ギア７１も逆方向に回転するようになる。従って排出スタッカ９は矢印７５のＢの方向へ回動し自動的に閉鎖することができる。
【００５３】
次に図１０〜図１３を参照しながら、排出スタッカが自動的に伸長する機能を有する実施の形態について説明する。図１０は排出スタッカが自動的に伸長する機能を有する実施形態を示すインクジェットプリンタの側断面図であり、図１１は図１０の実施形態において排出スタッカの開放開始時の様子を示すインクジェットプリンタの側断面図であり、図１２は図１０の実施形態において排出スタッカが開放した状態を示すインクジェットプリンタの側断面図であり、図１３は図１０の実施形態において排出スタッカが開放した状態を示すインクジェットプリンタの斜視図である。
【００５４】
本例の構造では、キャリッジ２３を使用しないときにフラッシング動作等を行う目的で位置する場所、即ちホームポジションにキャリッジ２３が位置するときに、キャリッジ２３が移動しないようにキャリッジ２３の側面を保持可能なロックレバー７７が設けられている。このロックレバー７７は回動軸７９の周囲で９０度の範囲内で回動可能である。プリンタ本体３内のロックレバー７７の近傍には回動軸８１の周囲で回動可能なロック爪８３が設けられており、ロック爪８３には回動軸８１を挟んで両側に、係止部８５と押圧作用部８７とが形成されている。
【００５５】
一方排出スタッカ９はメインスタッカ８９を備え、メインスタッカ８９内には補助スタッカ収納部９１が形成されている。補助スタッカ収納部９１内には第１補助スタッカ９３と第２補助スタッカ９５とが入れ子式に収納されており、補助スタッカ収納部９１の基端側に設けられる第１圧縮バネ９７のバネ伸長力に抗して第１補助スタッカ９３が補助スタッカ収納部９１内に収納され、第１補助スタッカ９３の基端側に設けられる第２圧縮バネ９９のバネ伸長力に抗して第２補助スタッカ９５が第１補助スタッカ９３内に収納されている。
【００５６】
メインスタッカ８９、第１補助スタッカ９３及び第２補助スタッカ９５には、それぞれ対応する位置にメイン開口部１０１、第１開口部１０３及び第２開口部１０５（図１２、図１３参照）が形成されており、補助スタッカ収納部９１内に第１補助スタッカ９３と第２補助スタッカ９５とが入れ子式に収納されているとき、第１開口部１０３と第２開口部１０５とがメイン開口部１０１に整合するようになっている。
【００５７】
図１０に示す如く、排出スタッカ９の閉鎖状態では、整合したメイン開口部１０１、第１開口部１０３及び第２開口部１０５をロック爪８３が貫通して、係止部８５がこれら開口部の下辺（被係止部を構成する）に係止することにより、捻りコイルバネ３５による排出スタッカ９の開放方向への回動を規制している。またこのとき第１補助スタッカ９３と第２補助スタッカ９５の先端部分が排紙スタッカ収納部１０の上辺部分に当接することで、これら補助スタッカが第１圧縮バネ９７及び第２圧縮バネ９９のバネ伸長力に抗して補助スタッカ収納部９１内に収納された状態が維持されている。
【００５８】
このような構成を採用した排出スタッカの自動開放機構では、例えば図１中の符号５１で示す開始ボタンを押すと、ロックレバー７７が図１０に示す垂直状態から時計回りに９０度回動し、キャリッジ２３の固定状態が解除される。これと共に、ロックレバー７７の先端部７８（図１１参照）が、ロック爪８３の押圧作用部８７を下方へ押圧して、ロック爪８３は回動軸８１の周囲で反時計回りに回動することで、図１１に示す如く、係止部８５のメイン開口部１０１、第１開口部１０３および第２開口部１０５の下辺（被係止部）への係止が外れる。
【００５９】
その結果、捻りコイルバネ３５の作用で排出スタッカ９が時計回りに回動すると共に、第１圧縮バネ９７および第２圧縮バネ９９のバネ伸長力により、第１補助スタッカ９３と第２補助スタッカ９５とが上方へ押し出される（図１１の状態）。捻りコイルバネ３５の作用で、更に排出スタッカ９が時計回りに回動することで、図１２及び図１３に示す如く、排出スタッカ９が開放状態になるとともに、第１補助スタッカ９３と第２補助スタッカ９５とが伸びきった状態となる。尚、排出スタッカ９が図１１の時計回りに回動していく段階で、ロック爪８３の係止部８５が第２開口部１０５、第１開口部１０３の順で係止が解除されていき、第２補助スタッカ９５、第１補助スタッカ９３の順でスタッカが伸びるようになる。
【００６０】
排出スタッカ９を収納する場合には、第１補助スタッカ９３及び第２補助スタッカ９５をメインスタッカ８９内に押し込んだ状態で、排出スタッカ９を、スタッカ収納部１０が閉鎖するように回動し、ロック爪８３の係止部８５がメイン開口部１０１、第１開口部１０３及び第２開口部１０５の下辺に係止するようにすればよい。
【図面の簡単な説明】
【図１】本発明の自動開放可能な排出スタッカを備えるプリンタの斜視図。
【図２】同排出スタッカを開放した状態を示す斜視図。
【図３】キャリッジ動作で排出スタッカを自動開放する実施形態の側断面図。
【図４】図３の実施形態の排出スタッカが自動開放する様子を示す側断面図。
【図５】図３の実施形態の排出スタッカが自動開放する様子を示す側断面図。
【図６】排出駆動ローラに関連するギアを利用した実施形態の側断面図。
【図７】専用の駆動モータを利用した実施形態の側断面図。
【図８】給送ローラの駆動軸の回転駆動力を利用した実施形態の側断面図。
【図９】専用の駆動モータを利用した実施形態の側断面図。
【図１０】排出スタッカが自動延長される機能を有する実施形態の側断面図。
【図１１】図１０の実施形態の排出スタッカ開放開始時の様子を示す側断面図。
【図１２】図１０の実施形態の排出スタッカ開放状態を示す側断面図。
【図１３】図１０の実施形態の排出スタッカ開放状態を示すプリンタの斜視図。
【符号の説明】
１  インクジェットプリンタ、３  プリンタ本体、５  給送部、７  排出部
９  排出スタッカ、１０  スタッカ収納部、１１  給送トレイ、
１３  給送ローラ、１４  分離パッド、１５  紙送り駆動ローラ、
１７  紙送り従動ローラ、１９  紙送りローラ、２１  記録ヘッド、
２２  スライド軸、２３  キャリッジ、２５  プラテン、２７  排出ローラ、
２９  排出駆動ローラ、３１  排出ギザローラ、３３  排出スタッカの回動軸
３５  捻りコイルバネ、３６  ロータリーダンパ、３７  矢印、３８  回動軸、３９  ロック爪、４０  ロック爪の先端部、４１  係止部、４３  係止斜面
４５  基枠、４７  被係止部、４９  係合解除カム、５１  開始ボタン
５３  駆動伝達ギア、５５  ロック解除ギア、５７  ロック解除片
５９  駆動モータ、６１  ピニオンギア、６３  プーリ、６５  駆動伝達ベルト
６７  中間ギア、６９  開閉作動ギア、７１  被作動ギア、７３  回転軸
７５  矢印、７７  ロックレバー、７８  ロックレバーの先端部
７９  回動軸、８１  回動軸、８３  ロック爪、８５  係止部、
８７  押圧作用部、８９  メインスタッカ、９１  補助スタッカ収納部、
９３  第１補助スタッカ、９５  第２補助スタッカ、９７  第１圧縮バネ、
９９  第２圧縮バネ、１０１  メイン開口部、１０３  第１開口部、
１０５  第２開口部
【図１】
2004256232.tif 000003
【図２】
2004256232.tif 000004
【図３】
2004256232.tif 000005
【図４】
2004256232.tif 000006
【図５】
2004256232.tif 000007
【図６】
2004256232.tif 000008
【図７】
2004256232.tif 000009
【図８】
2004256232.tif 000010
【図９】
2004256232.tif 000011
【図１０】
2004256232.tif 000012
【図１１】
2004256232.tif 000013
【図１２】
2004256232.tif 000014
【図１３】
2004256232.tif 000015